(57)【要約】【課題】蛍光ランプを良好に保持することができるランプ取付構造および照明器具を提供する。【解決手段】照明器具１０は、ソケット１６に支持軸２７を介して回転自在に支持されたレバー３１と、レバー３１を係止方向に付勢するコイルばね３３とを備え、口金部１８にレバー３１と係止可能な突起２２を設けている。さらに、レバー３１に、突起２２と係止する係止面３６ａとは逆の面に傾斜面３６ｂを備え、かつ突起２２と係止した状態において突起２２から係止を外す方向に回転させる操作部３８を備えている。そして、突起２２ならびにレバー３１が係止することで、蛍光ランプ１５をソケット１６に係止するようにした。【選択図】図１
2010192315.tif 000002
【特許請求の範囲】
【請求項１】
蛍光ランプの直管蛍光管のうち両端近傍に口金部が設けられ、前記口金部にランプピンが前記直管蛍光管の径方向に沿って立設され、前記ランプピンがソケットの導電部に接続されるとともに前記口金部がソケットに保持されるランプ取付構造であって、
前記ソケットに、前記直管蛍光管の長手方向に対して直交する方向に延在された支持軸と、前記支持軸に回転自在に支持されたレバーと、前記レバーを係止させる方向に付勢する弾性体と、を備え、
前記口金部に、前記レバーと係止可能な突起を設け、
前記レバーに、前記突起と係止する係止面と、前記口金部を前記ソケットに嵌め込む際に、前記突起が当接することで前記弾性体の付勢力に抗して前記突起と反対方向に前記レバーを回転させるための傾斜面と、前記係止面が前記突起に係止した状態において前記突起との係止を外す方向に回転させる操作部とを備え、
前記係止面が前記突起に係止することで、前記蛍光ランプを前記ソケットに保持することを特徴とするランプ取付構造。
【請求項２】
請求項１において、前記係止面が前記突起に係止した状態で、前記係止面が前記突起から不用意に外れることを阻止する係合手段を備えたことを特徴とするランプ取付構造。
【請求項３】
請求項１または請求項２において、前記係止面が前記突起に係止した状態で、前記レバーが前記弾性体で前記蛍光ランプの端部に向いた方向に付勢されていることを特徴とするランプ取付構造。
【請求項４】
請求項１〜３のいずれか１項において、前記操作部は、前記直管蛍光管に対して略平行に設けられ、
前記操作部を前記直管蛍光管に向けて押圧することで、前記レバーを前記弾性体の付勢力に抗して前記突起との係止を解除することを特徴とするランプ取付構造。
【請求項５】
請求項１〜４のいずれか１項において、前記操作部は、前記レバーに直接的に設けられたことを特徴とするランプ取付構造。
【請求項６】
請求項１〜４のいずれか１項において、前記操作部は、前記レバーに間接的に設けられたことを特徴とするランプ取付構造。
【請求項７】
請求項１〜６のいずれか１項のランプ取付構造を備えた照明器具。
【発明の詳細な説明】
【技術分野】
【０００１】
本発明は、直管蛍光管の口金部をソケットに保持することで、口金部に立設されたランプピンがソケットの導電部に通電可能に接続されるランプ取付構造および照明器具に関する。
【背景技術】
【０００２】
従来の照明器具１００は、図９に示すように、ソケット１０１に弾性部材なる導電可能な保持部１０２が設けられ、蛍光ランプ１０３に直管蛍光管１０４の軸方向に対して直交する方向に向けてランプピン１０６が立設された口金部１０５が設けられている。
ソケット１０１にランプピン１０６を差し込む際に、ランプピン１０６を保持部１０２間に差し込むことで、弾性変形可能な保持部１０２で口金部１０５を挟持して蛍光ランプ１０３をソケット１０１に設置および保持できる。
【０００３】
一方、蛍光ランプ１０３をソケット１０１から取り外す際には、蛍光ランプ１０３をソケット１０１から離れる方向（すなわち、下方）に引張る。
これにより、ソケット１０１からランプピン１０６を引き抜くとともに、弾性変形可能な保持部１０２による口金部１０５の挟持を解除して蛍光ランプ１０３を取り外すことができる（例えば、特許文献１参照）。
【先行技術文献】
【特許文献】
【０００４】
【特許文献１】特開２００８−１１７６８号公報
【発明の概要】
【発明が解決しようとする課題】
【０００５】
ここで、従来の照明器具１００は、弾性変形可能な保持部１０２で口金部１０５を挟持することで蛍光ランプ１０３をソケット１０１に設置および保持している。
このため、例えば、保持部１０２が弾性変形や塑性変形した場合に、保持部１０２で蛍光ランプ１０３を良好に保持することが難しくなることが考えられる。
【０００６】
本発明の目的は、上記従来の問題点に鑑みてなされたものであり、蛍光ランプを良好に保持することができるランプ取付構造および照明器具を提供することを課題とする。
【課題を解決するための手段】
【０００７】
本発明は、蛍光ランプの直管蛍光管のうち両端近傍に口金部が設けられ、前記口金部にランプピンが前記直管蛍光管の径方向に沿って立設され、前記ランプピンがソケットの導電部に接続されるとともに前記口金部がソケットに保持されるランプ取付構造であって、前記ソケットに、前記直管蛍光管の長手方向に対して直交する方向に延在された支持軸と、前記支持軸に回転自在に支持されたレバーと、前記レバーを係止させる方向に付勢する弾性体と、を備え、前記口金部に、前記レバーと係止可能な突起を設け、前記レバーに、前記突起と係止する係止面と、前記口金部を前記ソケットに嵌め込む際に、前記突起が当接することで前記弾性体の付勢力に抗して前記突起と反対方向に前記レバーを回転させるための傾斜面と、前記係止面が前記突起に係止した状態において前記突起との係止を外す方向に回転させる操作部とを備え、前記係止面が前記突起に係止することで、前記蛍光ランプを前記ソケットに保持することを特徴とする。
【０００８】
また、本発明は、前記係止面が前記突起に係止した状態で、前記係止面が前記突起から不用意に外れることを阻止する係合手段を備えたことを特徴とする。
【０００９】
さらに、本発明は、前記係止面が前記突起に係止した状態で、前記レバーが前記弾性体で前記蛍光ランプの端部に向いた方向に付勢されていることを特徴とする。
【００１０】
また、本発明は、前記操作部は、前記直管蛍光管に対して略平行に設けられ、前記操作部を前記直管蛍光管に向けて押圧することで、前記レバーを前記弾性体の付勢力に抗して前記突起との係止を解除することを特徴とする。
【００１１】
さらに、本発明は、前記操作部は、前記レバーに直接的に設けられたことを特徴とする。
【００１２】
また、本発明は、前記操作部は、前記レバーに間接的に設けられたことを特徴とする。
【００１３】
さらに、本発明は、前記ランプ取付構造を備えた照明器具であることを特徴とする。
【発明の効果】
【００１４】
本発明では、蛍光ランプの口金部を下方向からソケットに嵌め込む際に、口金部の突起がレバーの傾斜面に当接することで、弾性体の付勢力に抗してレバーを突起と反対方向に回転させることができる。
そして、傾斜面を乗り越えたときに弾性体（コイルばね）の付勢力でレバーが突起の下面に自然に配置できるので、ソケットに口金部を容易に取り付けることができる。
この状態において、レバーが突起に係止しており、蛍光ランプをレバーで良好に保持できる。
【００１５】
一方、蛍光ランプを取り外す際には、レバーに設けた操作部を突起とは逆の方向に回転させることで、レバーを突起から外して容易に取り外すことができる。
【００１６】
また、本発明では、係止面が突起から不用意に外れることを阻止する係合手段を備えた。これにより、蛍光ランプをソケットに一層確実に保持できる。
また、係止面が突起に係止したとき、係合手段を係合させることで係合によるクリック感が得られる。
これにより、係止面が突起に係止したことを感知できるので、蛍光ランプをソケットに一層容易に取り付けることができる。
【００１７】
さらに、本発明では、レバーと突起が係止した状態において、弾性体の付勢力によるレバーの回転方向を直管蛍光管の端部に向いた方向とした。
よって、蛍光ランプを手で保持した状態で、その手の親指でレバー（すなわち、操作部）を蛍光ランプの端部から離れる方向に押すことで、レバーを突起から外すことができる。
これにより、蛍光ランプを取り外す際のレバーの動作として、蛍光ランプを保持した手の親指でレバーを操作することが容易になる。
【００１８】
また、本発明では、操作部を、レバーのうち突起に係止する係止部の回転方向と逆方向を向いて、かつ直管蛍光管に対して略平行に設けた。
よって、蛍光ランプを手で保持した状態で、その手の親指で操作部を下方向に押し下げることでレバーを突起から外すことができる。
これにより、蛍光ランプを取り外す際のレバーの動作として、蛍光ランプを保持した手の親指で操作部を操作することが一層容易になる。
【００１９】
さらに、本発明では、レバーに操作部を直接設けた。
よって、レバーと操作部を一体部品として成形することができる。
これにより、部品点数の増加を防ぐことができる。
【００２０】
また、本発明では、レバーに対して操作部を間接的に設けた。
よって、操作部を直管蛍光管の両端から離すことができる。
これにより、長さが長く両端同時に手が届かない直管蛍光管においても、両手で同時に操作できる位置に操作部を設けることができる。
【００２１】
さらに、本発明では、ランプ取付構造を備えた照明器具においては、蛍光ランプの幅よりも内側において蛍光ランプの着脱操作をおこなうことができる。
これにより、照明器具を幅方向に隣接して設置でき、隣接する蛍光ランプ間の隙間を小さく抑えることが可能になり、幅方向につながりのある光源が実現できる。
【図面の簡単な説明】
【００２２】
【図１】本発明に係るランプ取付構造を備えた照明器具（第１実施形態）を示す分解斜視図
【図２】第１実施形態の照明器具を示す側面図
【図３】第１実施形態の蛍光ランプをソケットに係止する操作例を説明する側面図
【図４】第１実施形態の蛍光ランプをソケットから取り外す例を説明する側面図
【図５】第１実施形態の照明器具を複数並列に設けた状態を示す底面図
【図６】本発明に係るランプ取付構造（第２実施形態）を示す側面図
【図７】本発明に係るランプ取付構造（第３実施形態）を示す側面図
【図８】（Ａ）は本発明に係るランプ取付構造（第４実施形態）を示す側面図、（Ｂ）は第４実施形態の変形例を示す側面図
【図９】従来のランプ取付構造を示す斜視図
【発明を実施するための形態】
【００２３】
本発明を実施するための最良の形態を添付図に基づいて以下に説明する。
【００２４】
（第１実施形態）
第１実施形態に係る照明器具１０について説明する。
図１および図２に示すように、照明器具１０は、蛍光ランプ１５の直管蛍光管１７に設けられた口金部１８をソケット１６に保持するランプ取付構造１２と、ソケット１６を支持するベース１４と備えている。
ベース１４は、例えば、天井（図示せず）に取り付けられて、ソケット１６が設けられている。
【００２５】
ランプ取付構造１２は、蛍光ランプ１５の直管蛍光管１７のうち両端近傍に口金部１８が設けられ、口金部１８にランプピン２１が直管蛍光管１７の径方向に沿って立設され、ランプピン２１がソケット１６の導電部２４に接続されるとともに口金部１８をソケット１６に保持するものである。
【００２６】
蛍光ランプ１５は、直管蛍光管１７と、直管蛍光管１７の両端１７ａ（一端のみを示す）近傍に設けられた口金部１８とを備えている。
口金部１８は、略矩形体に形成され、上面１８ａに直管蛍光管１７の軸方向に対して直交する方向にランプピン２１が立設され、後述するレバー３１と係止可能な一対の突起２２が両側壁１８ｂから外側に向けて突出されている。
突起２２は、底面２２ａが略水平に形成された水平面、あるいは、レバー３１に向けて下り勾配となる傾斜面に形成されている。
【００２７】
ソケット１６は、略矩形体に形成され、下面１６ａにランプピン２１が差し込み可能な差込孔が形成され、差込孔内に導電部２４を有している。
ランプピン２１が差込孔に差し込まれて導電部２４に接することで（すなわち、ソケット１６に口金部１８を係止させることで）、導電部２４がランプピン２１に通電可能（通電状態）となる。
【００２８】
このソケット１６は、内壁（直管蛍光管１７の端部１７ａと反対側の壁）１６ｂに所定間隔をおいて設けられた一対の支持部２６と、一対の支持部２６の支持孔２６ａに取り付けられた支持軸２７と、支持軸２７に回転自在に支持されたレバー３１と、レバー３１を係止方向に付勢するコイルばね（弾性体）３３とを備えている。
【００２９】
支持軸２７は、一対の支持部２６の支持孔２６ａに取り付けられることで、直管蛍光管１７の長手方向に対して直交する方向に延在されている。
支持軸２７にレバー３１の取付孔３７ａが回転自在に係止されている。
【００３０】
レバー３１は、矩形状に形成されたレバー本体３５と、レバー本体３５の下端両側部から口金部１８に向けて延出された一対の係止爪３６と、レバー本体３５の上端両側部に設けられた一対の取付部３７と、一対の取付部３７から直管蛍光管１７の端部１７ａに向けて延出された一対の操作部３８とを備えている。
一対の取付部３７に取付孔３７ａがそれぞれ形成され、一対の取付孔３７ａが支持軸２７に係止されることで、支持軸２７にレバー３１が回転自在に係止されている。
【００３１】
係止爪３６は、突起２２と係止する係止面３６ａと、係止面３６ａとは逆の面（具体的には、端面）に形成された傾斜面３６ｂとを備えている。
傾斜面３６ｂは、突起２２の底面２２ａに対応させて、水平面、あるいは、傾斜面に形成されている。
よって、係止爪３６の係止面３６ａを突起２２に係止することで、蛍光ランプ１５をソケット１６に係止することができる。
【００３２】
操作部３８は、係止爪３６が突起と係止した状態において、突起から係止爪３６の係止を外す方向にレバー３１を回転させるための部位である。
この操作部３８はレバー３１に直接的に設けられている。
よって、操作部３８とレバー３１とを一体部品として成形することができ、部品点数の増加を防ぐことができる。
【００３３】
なお、操作部３８をレバー３１に間接的に設けることも可能である。
操作部３８をレバー３１と異なる位置に設けることにより、長さが長く両端同時に手が届かない直管蛍光管においても、両手で同時に操作できる位置に操作部３８を設けることができる。
【００３４】
コイルばね３３は、レバー３１を蛍光ランプ１５の端部１７ａに向いた方向（すなわち、係止方向）に付勢する弾性体で、支持軸２７に取り付けられ、ソケット１６の内壁１６ｂに設けられた係止部４１に一端３３ａが差し込まれることで係止され、レバー本体３５に設けられた係止部４２に他端３３ｂが差し込まれることで係止されている。
【００３５】
ランプ取付構造１２によれば、係止爪３６と突起２２とが係止した状態において、コイルばね３３の付勢力によるレバー３１の回転方向が蛍光ランプの端部  に向いた方向になるように構成されている。
【００３６】
また、操作部３８が、レバー３１のうち突起２２に係止する係止面（係止部）３６ａの回転方向と逆方向を向いて、かつ直管蛍光管１７に対して略平行に設けられている。
【００３７】
つぎに、蛍光ランプ１５をソケット１６に係止する操作例を図３（Ａ）〜（Ｃ）に基づいて説明する。
図３（Ａ）において、蛍光ランプ１５をソケット１６（図２参照）に向けて押し上げることで、突起２２が係止爪３６の傾斜面３６ｂに当接する。
突起２２が継続して矢印Ａの方向に上昇することで、突起２２が傾斜面３６ｂを押圧する。
【００３８】
図３（Ｂ）において、突起２２が傾斜面３６ｂを押圧することで、レバー３１が支持軸２７を軸としてコイルばね３３の付勢力に抗して矢印Ｂ方向に回転する。
突起２２が継続して矢印Ａの方向に上昇することで、突起２２が傾斜面３６ｂを押圧しながら上昇する。
【００３９】
図３（Ｃ）において、突起２２が傾斜面３６ｂを乗り越えることで、レバー３１が支持軸２７を軸としてコイルばね３３の付勢力で矢印Ｃ方向に回転する。
これにより、係止爪３６の係止面３６ａが突起２２と係止（係止）して、蛍光ランプ１５がソケット１６（図２参照）に係止される。
【００４０】
図３（Ａ）〜（Ｃ）で説明したように、蛍光ランプ１５の口金部１８を下方向からソケット１６に嵌め込む際に、口金部１８の突起２２がレバー３１の傾斜面３６ｂに接触（当接）することで、コイルばね３３の付勢力に抗してレバー３１を突起２２と反対方向に回転させることができる。
【００４１】
そして、突起２２が傾斜面３６ｂを乗り越えたときにコイルばね３３の付勢力でレバー３１が突起２２の下面に自然に配置できるので、ソケット１６に口金部１８を容易に取り付けることができる。
この状態において、レバー３１の係止面３６ａが突起２２に係止しており、蛍光ランプ１５をレバー３１で良好に保持できる。
【００４２】
ついで、蛍光ランプ１５をソケット１６から取り外す操作を図２、図４に基づいて説明する。
図２に示すように、レバー３１（具体的には、係止面３６ａ）と突起２２が係止した状態において、コイルばね３３の付勢力によるレバー３１の回転方向をソケット１６（直管蛍光管１７の端部１７ａ）に向いた方向（矢印方向）とした。
【００４３】
よって、図４に示すように、蛍光ランプ１５を手４５で保持した状態で、その手４５の親指４６でレバー３１（すなわち、操作部３８）を直管蛍光管１７の端部１７ａから離れる方向に押すことで、レバー３１の係止面３６ａを突起２２から外すことができる。
これにより、蛍光ランプ１５を取り外す際のレバー３１の動作として、蛍光ランプ１５を保持した手４５の親指４６でレバー３１を操作することが容易になる。
【００４４】
さらに、操作部３８が、レバー３１のうち突起２２に係止する係止面３６ａの回転方向と逆方向を向いて、かつ直管蛍光管１７に対して略平行に設けられている。
よって、蛍光ランプ１５を手４５で保持した状態で、その手４５の親指４６で操作部３８を矢印Ｄの如く下方向に押し下げることができる。
操作部３８を下方向に押し下げることで、レバー３１が支持軸２７を軸としてコイルばね３３の付勢力に抗して矢印Ｅ方向に回転する。
【００４５】
よって、係止爪３６の係止面３６ａが突起２２から離れ、レバー３１を突起２２から矢印Ｅ方向に外すことができる。
これにより、蛍光ランプ１５を取り外す際のレバー３１の動作として、蛍光ランプ１５を保持した手４５の親指４６で操作部３８を操作することが一層容易になる。
【００４６】
さらに、図５に示すように、照明器具１０にランプ取付構造１２を備えることで、蛍光ランプ１５の幅よりも内側において蛍光ランプ１５の着脱操作をおこなうことができる。
これにより、照明器具１０を幅方向に隣接して設置でき、隣接する蛍光ランプ１５間の隙間Ｓを小さく抑えることが可能になり、幅方向につながりのある光源が実現できる。
【００４７】
つぎに、第２実施形態〜第４実施形態を図６〜図８に基づいて説明する。なお、第２実施形態〜第４実施形態において第１実施形態と同様の構成部材について同じ符号を付して説明を省略する。
【００４８】
（第２実施形態）
第２実施形態に係るランプ取付構造５０について説明する。
図６に示すように、ランプ取付構造５０は、係止面３６ａが突起２２に係止した状態において、係止面３６ａが突起２２から不用意に外れることを阻止する係合手段５２を備えたもので、その他の構成は第１実施形態のランプ取付構造１２と同様である。
【００４９】
係合手段５２は、係止面３６ａに設けられた凸部５３と、突起２２に設けられて凸部５３に係合可能な凹部５４とを備えている。
これにより、係止面３６ａが突起２２に係止した際に、凸部５３が凹部５４に係合し、係止面３６ａが突起２２から不用意に外れることを阻止して、蛍光ランプ１５（図１参照）をソケット１６に一層確実に保持できる。
【００５０】
また、係止面３６ａが突起２２に係止したとき、凹部５４および凸部５３を係合させることで係合によるクリック感が得られる。
これにより、係止面３６ａが突起２２に係止したことを感知できるので、蛍光ランプ１５（図１参照）をソケット１６に一層容易に取り付けることができる。
【００５１】
なお、第２実施形態では、係止面３６ａに凸部５３を設け、突起２２に凹部５４を設けた例について説明したが、これに限らないで、係止面３６ａに凹部５４を設け、突起２２に凸部５３を設けることも可能である。
あるいは、係止面３６ａおよび突起２２にそれぞれ凸部５３を設け、係止面３６ａが突起２２に係止したとき、係止面３６ａの凸部が突起２２の凸部５３を乗り越えることで、係止面３６ａの凸部が突起２２の凸部５３に係合させるように構成することも可能である。
【００５２】
（第３実施形態）
第３実施形態に係るランプ取付構造６０について説明する。
図７に示すように、ランプ取付構造６０は、第１実施形態のレバー３１、突起２２およびコイルばね３３に代えて、レバー６１、突起６２および引張ばね（弾性体）６３を用いたもので、その他の構成は第１実施形態のランプ取付構造１２と同様である。
【００５３】
レバー６１は、第１実施形態のレバー３１に備えた係止爪３６をＣ形係止爪６４に代えたものである。
Ｃ形係止爪６４は、略Ｃ形に形成されることで、突起６２に対向する収容凹部６５が設けられ、かつ、底部に傾斜面６４ａが形成されている。
そして、レバー６１の中央係止部６１ａおよび口金部１８の係止部６６に引張ばね６３が掛け止めされている。
引張ばね６３の付勢力で、突起６２に収容凹部６５を係止させた状態に保持することができる。
【００５４】
Ｃ形係止爪６４に傾斜面６４ａを形成することで、第１実施形態と同様に、蛍光ランプ１５の口金部１８を下方向からソケット１６に嵌め込む際に、口金部１８の突起６２がレバー６１の傾斜面６４ａに接触（当接）することで、引張ばね６３の付勢力に抗してレバー６１を突起６２と反対方向に回転させることができる。
【００５５】
そして、突起６２が傾斜面６４ａを乗り越えたときに引張ばね６３の付勢力で突起６２に収容凹部６５を自然に係止できるので、ソケット１６に口金部１８を容易に取り付けることができる。
【００５６】
（第４実施形態）
第４実施形態に係るランプ取付構造７０について説明する。
図８（Ａ）に示すように、ランプ取付構造７０は、第１実施形態の突起２２に代えて係止溝７２を用い、係止溝７２にレバー３１の係止爪３６を係止させるように構成したもので、その他の構成は第１実施形態のランプ取付構造１２と同様である。
【００５７】
係止溝７２は、上面７３が略水平な面に形成されている。
よって、係止爪３６を係止溝７２に係止することで、蛍光ランプ１５をソケット１６に係止することができる。
【００５８】
図８（Ａ）に示すランプ取付構造７０では、係止溝７２の上面７３を略水平な面に形成した例について説明したが、図８（Ｂ）に示すように、上面７３をレバー３１に向けて下り勾配となる傾斜面に形成することも可能である。
上面７３を傾斜面に形成することで、係止爪３６を係止溝７２に一層確実に係止することができる。
【００５９】
なお、本発明に係る照明器具は、前述した実施形態に限定されるものではなく適宜変更、改良などが可能である。
例えば、第１実施形態〜第３実施形態で示した照明器具１０、ランプ取付構造１２，５０，６０，７０、蛍光ランプ１５、ソケット１６、直管蛍光管１７、口金部１８、ランプピン２１、突起２２，６２、支持軸２７、レバー３１，６１、コイルばね３３，係止爪３６，６４、係止面３６ａ、傾斜面３６ｂ，６４ａ、操作部３８、引張ばね６３および係止溝７２などの形状や構成は例示したものに限定するものではなく適宜変更が可能である。
【符号の説明】
【００６０】
１０  照明器具
１２，５０，６０，７０  ランプ取付構造
１５  蛍光ランプ
１６  ソケット
１７  直管蛍光管
１７ａ  両端（端部）
１８  口金部
２１  ランプピン
２２，６２  突起
２７  支持軸
３１，６１  レバー
３３  コイルばね（弾性体）
３６，６４  係止爪
３６ａ  係止面
３６ｂ，６４ａ  傾斜面
３８  操作部
６３  引張ばね（弾性体）
７２  係止溝
【図１】
2010192315.tif 000003
【図２】
2010192315.tif 000004
【図３】
2010192315.tif 000005
【図４】
2010192315.tif 000006
【図５】
2010192315.tif 000007
【図６】
2010192315.tif 000008
【図７】
2010192315.tif 000009
【図８】
2010192315.tif 000010
【図９】
2010192315.tif 000011